(57)【要約】【課題】図１のような電磁波発生防止の発熱体（１）で配線された電気カーペット、電気毛布等の電気採暖具で、発熱体（１）が絶縁破壊による故障に対して、安全性を保障した安全制御回路構成をつくる。【解決手段】図４の回路図のように（イ）ＡＣ１→温度ヒューズＴＦ（１０）→電流ヒューズＩＦ（９）→二次線（３）→シリコン制御整流素子ＳＣＲ（１４）のアノードＡ、カソードＫ→一次線（２）→ＡＣ２を直列に接続する。（ロ）二次線（３）の両端Ｒ点とＳ点に図４のように固定抵抗Ｒａ（１２）とダイオードＤ１（１３）を接続しておく。（ハ）検地線（４）の両端Ｕ点とＶ点の間に図４のようにダイオードＤ２（１５）を接続する。（ニ）Ｖ点とＷ点に固定抵抗Ｒｂ（１７）を接続する。以上のように接続して回路を構成する。【選択図】　　図４
2004134328.tif 000002
【特許請求の範囲】
【請求項１】
図１の構造をした電磁波発生防止発熱体（１）が配線された電気カーペット、電気毛布等の電気採暖具において、発熱体（１）を図４のように接続して回路を構成してなる発熱体（１）の故障に対する安全制御回路構成およびその接続方法。
【発明の詳細な説明】
【０００１】
【発明の属する技術分野】
この発明は、電磁波発生を防止する図１のような発熱体（１）を利用して図２のように配線された電気カーペットや電気毛布等の電気採暖具で、この発熱体（１）が絶縁破壊等で故障しても人やものに対して安全性を保障する安全制御回路構成およびその接続方法に関するものである。
【０００２】
【従来の技術】
図１の如く、電磁波発生防止発熱体（１）の構造は、一次線（２）、二次線（３）、検地線（４）、一次絶縁層（５）、二次絶縁層（６）、外皮として表皮絶縁層（７）からなっている。
この発熱体（１）が、電磁波発生を防止する原理は、一次線（２）に電流が流れる時同じ電流を逆向きに、しかも同じ構造内で近接して、二次線（３）に流すたため、一次線（２）で発生した電磁波を二次線（３）で発生する電磁波で互いに打消合い、外部に電磁波が発生し難い構造となっている。
従来、この発熱体（１）で配線された電気カーペット、電気毛布等の電気採暖具で、この発熱体が故障して、二次絶縁層（６）が絶縁破壊で二次線（３）と検知線（４）が短絡した場合、検地線（４）の信号が制御回路に伝達され温度ヒューズＴＦ（１０）が動作し通電を停止させることが直接にできていた。
しかし、一次絶縁層（５）の絶縁破壊によって、一次線（２）と二次線（３）が短絡した場合、検知線（４）では十分な検知ができなかった。
図３より、Ｘ地点で一次絶縁層（５）が絶縁破壊により短絡した場合、ＡＣ１→リレー接点ＲＹ（１１）→電流ヒューズＴＦ（９）→一次線（２）→Ｘ地点→二次線（３）→温度ヒューズＴＦ（１０）→ＡＣ２の経路で短絡電流が流れる。Ｘ地点が発熱体（１）の端Ｐ点に近い場合、過大な短絡電流により、電流ヒューズＩＦ（９）が動作し、通電を停止するが、Ｑ側に近い付近では動作せず定格以上の電流が流れる。この為、発熱体（１）のＡ部からＸ部までの間は、過大電流により温度が設定温度を超えて、高くなった状態で温度制御が行われ安全性が保障できなかった。
【０００３】
【発明が解決しようとする課題】
本発明は、図２のように配線された発熱体（１）の両端Ｐ部からＱ部のすべての場所で絶縁破壊による短絡現象が生じても、通電を完全に停止させて安全性を保障しようとするものである。
【０００４】
【課題を解決するための手段】
いま、その制御回路構成および接続方法を説明すると、
図４の回路図のような接続方法の構成にする。すなわち
（イ）ＡＣ１→温度ヒューズＴＦ（１０）→電流ヒューズＩＦ（９）→ニ次線（３）→シリコン制御整流素子ＳＣＲ（１４）のアノードＡ、カソードＫ→一次線（２）→ＡＣ２を直列に接続する。このとき温度ヒューズＴＦ（１０）と電流ヒューズＩＦ（９）の位置は逆になってもよい。
また、温度ヒューズＴＦ（１０）と電流ヒューズＩＦ（９）の位置は、図４より
▲１▼ＡＣ１とＲ点の間に温度ヒューズＴＦ（１０）と電流ヒューズＩＦ（９）がある場合
▲２▼ＡＣ２とＷ点の間に温度ヒューズＴＦ（１０）と電流ヒューズＩＦ（９）がある場合
▲４▼ＡＣ１とＲ点の間に温度ヒューズＴＦ（１０）があり、かつＡＣ２とＷ点の間に電流ヒューズＩＦ（９）がある場合
▲５▼ＡＣ１とＲ点の間に電流ヒューズＩＦ（９）があり、かつＡＣ２とＷ点の間に温度ヒューズＴＦ（１０）がある場合
▲６▼ＡＣ１とＲ点の間か又はＡＣ２とＷ点の間のどちらかに必ず温度ヒューズＴＦ（１０）があり、かつＴ点とＷ点の間に電流ヒューズＩＦ（９）がある場合
▲１▼から▲６▼のいずれでもよい。
（ロ）二次線（３）の両端Ｒ点とＳ点に図４のように固定抵抗Ｒａ（１２）とダイオードＤ１（１３）を接続しておく。位置は逆でもよいが、ダイオードＤ１（１３）の向きは、図４の方向の向きである。
（ハ）検地線（４）の両端Ｕ点とＶ点の間に図４のようにダイオードＤ２（１５）を接続する。
（ニ）Ｖ点とＷ点に固定抵抗Ｒｂ（１７）を接続する。
以上のような接続方法により，回路を構成する。
【０００５】
【発明の実施の形態】
図４のＸ点で一次絶縁層（５）が破壊し短絡したとき、電流はＡＣ２→Ｗ点→Ｔ点→一次線（２）→Ｘ点→二次線（３）→Ｒ点→電流ヒューズＩＦ（９）→温度ヒューズＴＦ（１０）→ＡＣ１の経路で流れる。
このとき同時にＳ点とＲ点の間に電圧が発生するため、Ｘ点→Ｓ点→ダイオードＤ１（１３）→固定抵抗Ｒａ（１２）→Ｒ点の経路で電流が流れて、固定抵抗Ｒａ（１２）が発熱する。
この固定抵抗Ｒａ（１２）は温度ヒューズＴＦ（１０）と一体構造であるため固定抵抗Ｒａ（１２）の発熱により、温度ヒューズ（１０）が断線する。
このことにより、発熱体（１）への通電を停止し、安全を保障する。
また、二次絶縁層（６）のＹ点で絶縁破壊し、短絡したときは、ＡＣ２→Ｗ点→固定抵抗Ｒｂ（１７）→Ｖ点→検知線（４）又はダイオードＤ２（１５）→検知線（４）→Ｙ点→二次線（３）→Ｒ点→電流ヒューズＩＦ（９）→温度ヒューズＴＦ（１０）→ＡＣ２の経路で電流が流れ、固定抵抗Ｒｂ（１７）が発熱する。この固定抵抗Ｒｂ（１７）も温度ヒューズ（１０）と一体構造になっているためこの固定抵抗Ｒｂ（１７）の発熱により、温度ヒューズＴＦ（１０）が断線し発熱体（１）へ通電を停止する。
このようにして、安全性を保障しようとするものである。
【０００６】
【発明の効果】
以上のようなものであるから、
（イ）発熱体（１）の一次絶縁層（５）がＰ地点からＱ地点のどの箇所で絶縁破壊しても通電を停止させ安全が保障できる。
（ロ）発熱体（１）のニ次絶縁層（６）がＰ地点からＱ地点のどの箇所で絶縁破壊しても通電を停止させ安全が保障できる。
（ハ）余分な部品を使用せず、複雑な制御も必要なく、安価ですむ。
（ニ）絶縁破壊による短絡電流に対する安全性が保障でき安心して使用できる。
【図面の簡単な説明】
【図１】電磁波発生防止発熱体の構造図
【図２】電気カーペット、電気毛布等の電気採暖具の配線外観図
【図３】従来の制御回路装置機構の図
【図４】本発明の安全制御回路構成およびその接続方法の図
【符号の説明】
１．電磁波発生防止発熱体　　　　　１０．温度ヒューズＴＦ
２．一次線　　　　　　　　　　　　１１．リレー接点ＲＹ
３、二次線　　　　　　　　　　　　１２．固定抵抗Ｒａ
４．検地線　　　　　　　　　　　　１３．ダイオードＤ１
５．一次絶縁層　　　　　　　　　　１４．シリコン制御整流素子ＳＣＲ
６．二次絶縁層　　　　　　　　　　１５．ダイオードＤ２
７．表皮絶縁層　　　　　　　　　　１６．ダイオードＤ３
８．リモコン　　　　　　　　　　　１７．固定抵抗Ｒｂ
９．電流ヒューズＩＦ
【図１】
2004134328.tif 000003
【図２】
2004134328.tif 000004
【図３】
2004134328.tif 000005
【図４】
2004134328.tif 000006